(57)【特許請求の範囲】
【請求項１】
無線通信ネットワーク（ＲＣ）に接続することができ、サーバ（ＳＩ）と通信することができ、位置が特定されることができる通信デバイス（ＥＣ）を所持するユーザに関連するビデオ記録の取得方法であって、方法は：
ｉ）前記サーバ（ＳＩ）および／または前記通信デバイス（ＥＣ）により、前記通信デバイス（ＥＣ）が位置する地点の位置を特定し、前記通信デバイス（ＥＣ）の位置、速度および配向または方向から前記通信デバイス（ＥＣ）の経路を特定するステップと、
ｉｉ）前記サーバ（ＳＩ）および／または前記通信デバイス（ＥＣ）により、前記特定された位置および経路を含む可能性があり得る観察エリアの一部でのビデオ記録を提供することができ、前記通信ネットワーク（ＲＣ）を介してアクセス可能であるカメラ（Ｃｉ）が少なくとも１台あるかどうかを判定するステップと、
ｉｉｉ）このようなカメラ（Ｃｉ）が特定された場合には、前記サーバ（ＳＩ）および／または前記通信デバイス（ＥＣ）により、前記特定された位置および経路を含む観察エリアをカメラ（Ｃｉ）が供しているかどうかを判定するステップと、もしそうであれば、
ｉｖ）前記サーバ（ＳＩ）および／または前記通信デバイス（ＥＣ）により、カメラ（Ｃｉ）によってその観察エリア内に前記通信デバイス（ＥＣ）がある間に作製されたビデオ記録の少なくとも１つの部分を、前記通信ネットワーク（ＲＣ）を介して前記通信デバイス（ＥＣ）に送信するように要求するステップと、
を含む、方法。
【請求項２】
ステップ（ｉｉ）の間、前記通信デバイス（ＥＣ）の近傍内に見つけられそうなカメラ（Ｃｉ）があるかどうかを判定するために、ステップ（ｉ）の間に特定された前記位置が、カメラ識別子についての一致データとして保存手段（ＭＳ）内に保存されているカメラ（Ｃｉ）の知られている位置と比較され、特定されたカメラ（Ｃｉ）の識別子を用いてステップ（ｉｉｉ）が実行される、請求項１に記載の方法。
【請求項３】
ステップ（ｉｉ）の間、前記特定された位置を所与として、その経路が前記観察エリアを横切ることになるかどうかが判定される、請求項１及び２のいずれか一項に記載の方法。
【請求項４】
前記送信されたビデオ記録部分に基づいて前記通信デバイス（ＥＣ）内で１片のビデオコンテンツが生成されるステップ（ｉｖ）と、前記生成されたビデオコンテンツが、それを利用可能にすることを考慮して、場合によっては選択された条件の下で、前記ユーザの個人ウェブサイトに提供されるステップ（ｖ）も提供される、請求項１から３のいずれか一項に記載の方法。
【請求項５】
前記ステップ（ｉ）が周期的な間隔で自動的に遂行される、請求項１から４のいずれか一項に記載の方法。
【請求項６】
前記ステップ（ｉ）が前記通信デバイス（ＥＣ）のユーザの要求に応じて遂行される、請求項１から４のいずれか一項に記載の方法。
【請求項７】
前記ステップ（ｉ）から（ｖ）のうちの少なくとも１つが、前記通信デバイス（ＥＣ）のユーザによってあらかじめ定義された命令セットに基づいて遂行される、請求項１から６のいずれか一項に記載の方法。
【請求項８】
少なくとも１つの判定周期、場合によっては少なくとも１つの既定の処理の後における、ビデオ記録部分のシステマチックな保存、場合によっては少なくとも１つの既定の処理の後における、既定の状況に基づくビデオ記録部分の保存、並びに場合によっては既定の状況に基づく、１片のビデオコンテンツの自動生成及び提供、を含む群の中で前記命令データが選択される、請求項７に記載の方法。
【請求項９】
ステップ（ｉｉ）の間、カメラ（Ｃｉ）の観察エリアが、カメラ（Ｃｉ）及び／又はその環境に関する情報データに基づいて特定される、請求項１から８のいずれか一項に記載の方法。
【請求項１０】
カメラ（Ｃｉ）の開口角、カメラ（Ｃｉ）が取り付けられている高さ、水平面に関するカメラ（Ｃｉ）の傾斜、鉛直面に関するカメラ（Ｃｉ）の旋回、及びカメラ（Ｃｉ）が設置されている環境の構成、を少なくとも含む群から前記情報が選択される、請求項９に記載の方法。
【請求項１１】
ステップ（ｉｉｉ）の間、前記通信デバイス（ＥＣ）によって提供された命令に基づいて前記ビデオ記録部分の少なくとも１つの処理作業が遂行される、請求項１から１０のいずれか一項に記載の方法。
【請求項１２】
ステップ（ｉｉｉ）の間、前記通信デバイス（ＥＣ）によって送信された命令に基づいて、前記特定されたカメラ（Ｃｉ）内で少なくとも１つの処理作業、請求項１１に記載の方法。
【請求項１３】
ステップ（ｉｖ）の間、前記通信デバイス（ＥＣ）内で少なくとも１つの処理作業が遂行される、請求項１１及び１２のいずれか一項と組み合わせた請求項６に記載の方法。
【請求項１４】
ビデオ記録の画像内で検出された人物の少なくとも１人の顔ぼかし、ビデオ記録の一部分の少なくとも１つのシーケンスの、当該部分が既定の閾値よりも長く続く場合における手動及び／又は自動選択、ビデオ記録の一部分の消去、並びに少なくとも１人の第三者とのビデオ記録の一部分の共有、を含む群から前記処理作業が選択される、請求項１１から１３のいずれか一項に記載の方法。
【請求項１５】
ビデオ記録を集中保存手段に送信するカメラ（Ｃｉ）が存在する場合には、ステップ（ｉｉｉ）の間、特定されたカメラ（Ｃｉ）のビデオ記録がこれらの集中保存手段内で探索される、請求項１から１４のいずれか一項に記載の方法。
【請求項１６】
ビデオ記録を保存するカメラ（Ｃｉ）が存在する場合には、ステップ（ｉｉｉ）の間、ビデオ記録が当該カメラ（Ｃｉ）内で探索される、請求項１から１５のいずれか一項に記載の方法。
【請求項１７】
自分に関係するビデオ記録があると、前記通信デバイス（ＥＣ）のユーザが通知を受ける、請求項１から１６のいずれか一項に記載の方法。
【請求項１８】
ステップ（ｉｉ）の間、既定の一連の規則（単数または複数）が満たされれば、ビデオ記録の一部分の送信の権限が与えられる、請求項１から１７のいずれか一項に記載の方法。
【請求項１９】
ビデオ記録の使用に関する少なくとも１つの定められたローカル規則、認識可能な第三者がいないか、又は認識可能な第三者によって許可が与えられた場合にビデオ記録を使用する権限、通信デバイス（ＥＣ）のユーザが、自分に関係するビデオ記録を使用する許可を有する場合にビデオ記録を使用する権限、並びに通信デバイス（ＥＣ）による、カメラ（Ｃｉ）及び／又はカメラ（Ｃｉ）の環境に関する情報データを探索した際に以前に提供された識別子の提供、を含む群からそれぞれの規則が選択される、請求項１８に記載の方法。
【請求項２０】
無線通信ネットワーク（ＲＣ）に接続することができ、位置が特定可能である通信デバイス（ＥＣ）のための、カメラ（Ｃｉ）によって作製されたビデオ記録の取得装置（Ｄ）であって、前記装置（Ｄ）は、ｉ）前記通信デバイス（ＥＣ）が位置する地点の位置を特定する測位手段（ＥＰ）と、ｉｉ）前記通信デバイス（ＥＣ）の位置、速度および配向または方向から前記通信デバイス（ＥＣ）の経路を特定し、前記特定された位置および経路を含む可能性がある観察エリアの一部でのビデオ記録を提供することができ、前記通信ネットワーク（ＲＣ）を介してアクセス可能であるカメラ（Ｃｉ）が少なくとも１台あるかどうかを判定し、前記特定された位置および経路を含む観察エリアをカメラ（Ｃｉ）が供しているかどうかを判定するように動作可能である探索手段（ＭＲ）と、ｉｉｉ）このようなカメラ（Ｃｉ）が特定された場合には、前記特定されたカメラ（Ｃｉ）によってその観察エリアに前記通信デバイス（ＥＣ）がある間に作製されたビデオ記録の少なくとも一部分の、前記通信ネットワーク（ＲＣ）を介した前記通信デバイス（ＥＣ）への送信を要求するように動作可能である処理手段（ＭＴ）と、を備える、装置（Ｄ）。
【請求項２１】
要求に応じて前記通信デバイス（ＥＣ）に送信されたビデオ記録部分に基づいて１片のビデオコンテンツを生成するように動作可能である生成手段（ＭＧ）と、生成された１片のビデオコンテンツを、それを利用可能にすることを考慮して、場合によっては選択された条件の下で、選択されたウェブサイトに提供するように前記通信デバイス（ＥＣ）に指示するように動作可能である制御手段（ＭＣ）と、を追加的に備える、請求項２０に記載の装置。
【請求項２２】
前記探索手段（ＭＲ）による使用のために、前記通信デバイス（ＥＣ）の加速度を測定する加速度計（ＡＣ）、前記通信デバイスの配向または方向を示すコンパス（ＢＯ）を備える、請求項２０及び２１のいずれか一項に記載のビデオ記録取得デバイス（Ｄ）を備える、通信デバイス（ＥＣ）。
【発明の詳細な説明】
【技術分野】
【０００１】
本発明は、カメラによって作製されるビデオ記録に関し、より詳細には、これらのビデオ記録の一部を取得すること、及び場合によってはそれらを使用することに関する。
【背景技術】
【０００２】
当業者に知られているように、ある種のビデオカメラが観察エリア内でビデオ記録を作製し、それがいくばくかの移動通信デバイスのユーザに影響し得る。
【０００３】
ここで、「移動通信デバイス」とは、少なくとももう１つの通信デバイス及び／又は少なくとも１つのネットワークデバイスとの通信を確立するために、少なくとも１つの無線通信ネットワーク、場合によってはピアツーピアネットワーク、に接続することができる通信モジュールを有する機械であって、そのユーザにビデオコンテンツ又は信号を提示することもできるあらゆる機械を指す。従って、それは、例えば、移動電話、場合によっては「スマートフォン」、ラップトップコンピュータ、パーソナルデジタルアシスタント（又はＰＤＡ（ｐｅｒｓｏｎａｌ  ｄｉｇｉｔａｌ  ａｓｓｉｓｔａｎｔ））、デジタルグラフィックスタブレット、通信モニタ、あるいは通信ゲーム機であってよい。
【０００４】
ユーザに自分の環境内にカメラがあることを通知するための解決手法が多数提案されている。
【０００５】
特許文献国際公開第２０１０／０２７７７２号には、カメラが記録を禁止されているエリア内にあるカメラを、当該エリアの写真をそこが照明されている時に複数枚撮り、その後、それらの光学系の特有の反射に基づいて、禁止されているカメラの位置を特定することによって検出することが提案されている。
【０００６】
特許文献英国特許第２３７２３６４号及び米国特許第７，３９８，１０４号には、一部の無線カメラがそれらのビデオ記録を無線通信ネットワークに送信する際に生ずる放射を検出することも提案されている。
【先行技術文献】
【特許文献】
【０００７】
【特許文献１】国際公開第２０１０／０２７７７２号明細書
【特許文献２】英国特許第２３７２３６４号明細書
【特許文献３】米国特許第７３９８１０４号明細書
【発明の概要】
【発明が解決しようとする課題】
【０００８】
上述の知られている解決手法はすべて少なくとも１つの欠点を呈する。それらは、比較的大きく高価である補助的な照明及び検出デバイスの使用を必要とするか、あるいは、それらは無線カメラにしか適さず、従って、有線カメラの存在を検出することはできず、それらの有益性を大幅に限定している。
【０００９】
更に、検出されたカメラの観察エリア内に（移動）通信デバイスのユーザが実際にいるかどうかを判定することを可能にする、知られている解決手法はなく、それらの有益性を更に限定している。これは、ユーザは、自分の環境内にカメラがあると知らせられても、当該カメラが自分を撮影したのかどうか、従って、ローカルに保存された自分の訪問の記録があるのかどうか分からないということを意味する。従って、ユーザはまず、検出されたカメラのビデオ記録を得ようと試みるために（但し、ユーザがそうする権限を与えられているという条件で）、自分の移動通信デバイスを用いていくつかの操作を遂行しなければならず、次に、自分が当該ビデオ記録の中にいるか否か、及び当該記録が自分に関係するかどうかを判定するために、自分の移動通信デバイスを用いてそのビデオ記録を後で見なければならない。これらのいくつかの操作はユーザにとって拘束的であるか、又はユーザが自分の移動通信デバイスを他の用のために使っている時には、ほとんど遂行不可能でさえあることを理解されたい。
【００１０】
この後者の欠点のせいで、ダウンロードされた当該ユーザに関係するビデオ記録の抜粋に基づいてユーザの通信デバイス内でビデオコンテンツを生成することは著しく面倒になることに留意されたい。しかし、こうした生成が、個人ウェブサイト（又はブログ）を持っている一部のユーザにとっては有用であると分かることもある。なぜなら、それによって、彼らは、自分たちの（ブログ内の）凝集したテキスト投稿を、場合によっては少なくとも部分的に自動化した方法で、ビデオコンテンツによって、例えば、消去又は顔ぼかし等の操作によって彼らが望む通りに自分たちのプライバシーを保護しつつ、向上させることが可能になるからである。
【００１１】
従って、本発明は、特に、移動通信デバイスのユーザの近傍にあるカメラの検出に関するこの状況を改善することを目的とする。
【課題を解決するための手段】
【００１２】
第１の態様によれば、本発明は、無線通信ネットワークに接続することができ、位置が特定可能である通信デバイスを所持するユーザに関連するビデオ記録の取得に傾注した方法であって、以下のステップを含む方法を提案する：
（ｉ）通信デバイスが位置する地点の位置を特定するステップ。
【００１３】
（ｉｉ）特定された地点を含む可能性があり得る観察エリアの一部のビデオ記録を提供することができ、通信ネットワークを介してアクセス可能であるカメラが少なくとも１台あるかどうかを判定するステップ。
【００１４】
（ｉｉｉ）このようなカメラが存在すると判定された場合には、前記特定された位置を含む観察エリアをカメラが供しているかどうかを判定するステップ。及びもしそうであれば、
（ｉｖ）このカメラによってその観察エリア内に通信デバイスがある間に作製されたビデオ記録の少なくとも一部を、通信ネットワークを介して通信デバイスに送信するステップ。
【００１５】
本方法は、特に以下の、別個に又は組み合わせて取り上げられてよい他の特徴を含んでよい：
−  ステップ（ｉｉ）の間、通信デバイスの近傍内に位置する可能性があり得るカメラがあるかどうかを判定するために、ステップ（ｉ）において特定された位置が、保存手段内にカメラ識別子についての一致データとして保存されている、知られているカメラ位置（例えば、（特に法的要求事項の故に）それらの所有者よって、又はユーザの協力的行動によって申告されているもの）と比較されてよく、次に、このようなカメラが存在する場合には、特定された位置を含む観察エリアを当該カメラが供しているかどうかが判定され、もしそうであれば、特定されたカメラの識別子を用いてステップ（ｉｉｉ）が遂行されてよい。
【００１６】
−  ステップ（ｉ）の間、通信デバイスの経路が特定されてよく、ステップ（ｉｉ）の間、当該通信デバイスの特定された位置を所与として、当該経路が観察エリアを横切ることになるかどうかが判定されてよい。
【００１７】
−  送信されたビデオ記録部分に基づいて通信デバイス内で１片のビデオコンテンツが生成されるステップ（ｉｖ）と、当該生成されたビデオコンテンツが、それを提供することを考慮して、場合によっては選択された条件の下で、ユーザの個人ウェブサイト（又はブログ）に提供されるステップ（ｖ）が提供されてよい。
【００１８】
−  ステップ（ｉ）が、周期的な間隔で、又は通信デバイスのユーザの要求に応じて自動的に実行されてよい。
【００１９】
−  ステップ（ｉ）から（ｖ）のうちの少なくとも１つが、通信デバイスのユーザによってあらかじめ定義された命令セットに基づいて実行されてよい。
【００２０】
（少なくとも）判定周期、場合によっては少なくとも１つの既定の処理作業の後における、ビデオ記録部分のシステマチックな保存、場合によっては少なくとも１つの既定の処理作業の後における、既定の状況に基づくビデオ記録部分の保存、並びに場合によっては既定の状況に基づく、１片のビデオコンテンツの自動生成及び提供、の中から命令データが選択されてよい。
【００２１】
−  ステップ（ｉｉ）の間、カメラの観察エリアが、当該カメラ及び／又はその環境に関する情報データに基づいて特定されてよい。
【００２２】
（少なくとも）カメラの開口角、カメラが取り付けられている高さ、水平面に関するカメラの傾斜、鉛直面に関するカメラの旋回、及びカメラが設置されている環境の構成、の中から情報データが選択されてよい。
【００２３】
−  ステップ（ｉｉｉ）の間、通信によって提供された命令に基づいてビデオ記録部分の少なくとも１つの処理作業が実行されてよい。
【００２４】
ステップ（ｉｉｉ）の間、通信デバイスによって送信された命令に基づいて、特定されたカメラ内で少なくとも１つの処理作業が実行されてよい。
【００２５】
ステップ（ｉｖ）の間、通信デバイス内で少なくとも１つの処理作業が遂行されてよい。
【００２６】
（少なくとも）ビデオ記録の画像内で検出された人物の顔のぼかし、ビデオ記録の一部分の少なくとも１つのシーケンスの、当該部分が既定の閾値よりも長く続く場合における手動及び／又は自動選択、ビデオ記録の一部分の消去、並びに少なくとも１人の第三者とのビデオ記録の一部の共有、の中からそれぞれの処理作業が選択されてよい。
【００２７】
−  カメラであって、そのビデオ記録を集中保存手段に送信するカメラが存在する場合には、ステップ（ｉｉｉ）の間、これらの集中保存手段内で、特定されたカメラのビデオ記録の探索が遂行されてよい。
【００２８】
−  カメラであって、そのビデオ記録を保存するカメラが存在する場合には、ステップ（ｉｉｉ）の間、当該カメラ内でビデオ記録を探索してよい。
【００２９】
−  自分に関係するビデオ記録があると、通信デバイスのユーザが通知を受けてよい。
【００３０】
−  ステップ（ｉｉ）の間、既定の一連の規則（単数または複数）が満足されれば、ビデオ記録の一部分の送信の権限を与えてよい。
【００３１】
ビデオ記録の使用に関する（少なくとも）１つの定められたローカル規則、認識可能な第三者がいないか、又は認識可能な第三者によって許可が与えられた場合にビデオ記録を使用する権限、通信デバイスのユーザが、自分に関係するビデオ記録を使用する許可を有する場合にビデオ記録を使用する権限、並びに通信デバイスによる、カメラ及び／又は当該カメラの環境に関する情報データを探索した際に以前に提供された識別子の提供、の中からそれぞれの規則が選択されてよい。
【００３２】
第２の態様によれば、本発明は、無線通信ネットワークに接続することができ、位置が特定され得る通信デバイスのための、カメラによって作製されたビデオ記録の取得に傾注した装置であって、以下のものを更に備える装置を提案する。
【００３３】
−  ビデオ記録、通信デバイスが位置する箇所を含む可能性がある観察エリアの一部を提供することができ、通信ネットワークを介してアクセス可能であるカメラが少なくとも１台あるかどうかを判定するように動作可能である（又は設計された）探索手段。
【００３４】
−  このようなカメラが特定された場合には、当該特定されたカメラによってその観察エリアに通信デバイスがある間に作製されたビデオ記録の少なくとも一部分を、通信ネットワークを介した通信デバイスへ送信するように要求するように動作可能である処理手段。
【００３５】
以上の装置は、要求に応じて通信デバイスに送信されたビデオ記録部分に基づいて１片のビデオコンテンツを生成するように構成された生成手段と、生成された１片のビデオコンテンツを、それを利用可能にすることを考慮して、場合によっては選択された条件の下で、選択された（個人又はグループ）ウェブサイトに提供するように通信デバイスに指示するように動作可能である制御手段を場合によっては備えてもよい。
【００３６】
第３の態様によれば、本発明は、第１に、無線通信ネットワークに接続することができ、第２に、特定可能な（地理的）位置を占め、及び第３に、上述された種類のビデオ記録の取得装置を備える通信デバイスを提案する。
【００３７】
本発明のその他の特性及び利点は、以下の詳細な説明、及び添付の図面を吟味すれば明らかになろう。
【図面の簡単な説明】
【００３８】
【図１】以下のものが接続される通信ネットワークを極めて模式的且つ機能的に示す図である：本発明によるビデオ記録取得装置を装備するユーザ通信デバイス、２台のカメラであって、それらのビデオ記録がアクセス可能であるカメラ、カメラに関する情報サーバ、及び個人ウェブサイト（又はブログ）サーバ。
【発明を実施するための形態】
【００３９】
図面は、本発明を完全なものにする役目を果たすだけでなく、それを定義する必要がある場合には、その定義に寄与する役目も果たしてよい。
【００４０】
本発明は、特に、カメラＣｉによって作製され、自分たちに関係するビデオ記録（又はコンテンツ）を移動通信デバイスＥＣのユーザが取得することを可能にすることを目的とする。
【００４１】
少なくとももう１つの通信デバイス及び／又は少なくとも１つのネットワークデバイスとの通信を確立するために、少なくとも１つの無線通信ネットワークＲＣ、場合によってはピアツーピアネットワーク、に接続すること、並びにビデオコンテンツを再生し、利用することをどちらもできる通信モジュールＭＣＮを移動通信デバイスＥＣが有する限り、本発明はいずれの種類の移動通信デバイスＥＣにも関することに留意されたい。従って、それは、例えば、移動電話、場合によっては「スマートフォン」、ラップトップコンピュータ、パーソナルデジタルアシスタント（又はＰＤＡ（ｐｅｒｓｏｎａｌ  ｄｉｇｉｔａｌ  ａｓｓｉｓｔａｎｔ））、デジタルグラフィックスタブレット、通信モニタ、あるいは通信ゲーム機であってよい。
【００４２】
以下においては、非限定例として、ユーザの通信デバイスＥＣは、移動（又はセルラ）通信ネットワークを介した通信を確立することができると仮定している。但し、ユーザの通信デバイスＥＣは、ピアツーピア無線ネットワークを介した通信を確立することができてもよい。
【００４３】
図１は、以下のものが接続されている通信ネットワークＲＣを示す：本発明によるビデオ記録取得装置Ｄを装備するユーザの移動通信デバイスＥＣ、２台のカメラＣｉ（ｉ＝１又は２）、カメラＣｉに関する情報を保存するサーバＳＩ、並びに例えば、上述の移動通信デバイスＥＣを使用している人を含む異なるユーザの所有する個人ウェブサイト（若しくはブログ）、又はソーシャルネットワークサイト（例えばフェイスブック若しくは同様のもの）を保存するブログサーバＳＢ。
【００４４】
図１に示されている例では、ただ１つの（通信）ネットワークＲＣのみが示されていることに留意されたい。しかし、種々の機器及びサーバが、互いに相互接続された異なる通信ネットワーク、及び特にインターネットに接続されていてよい。
【００４５】
サーバＳＩが保存手段ＭＳ１内に保存してよい情報は、特に、或るカメラＣｉの知られている（地理的）位置、及び対応するカメラ識別子を含んでよい。
【００４６】
カメラＣＩの位置は、特に、例えば法的要求事項の故に、それらの所有者によって申告されるか、又は協力し合ってそれらを発見したユーザによって提供されてよい。
【００４７】
保存手段ＭＳ１は、当業者に知られている任意の形、特に、メモリ、コンピュータファイル、又はデータベースの形で具現してよい。
【００４８】
ブログサーバＳＢは、保存手段ＭＳ２を備え、その内部に、この例では、移動通信デバイスＥＣを備える異なるユーザの所有する個人ウェブサイト（又はブログ）を保存する。このブログサーバＳＢは、例えば、ソーシャルネットワークパブリッシャが所有する。
【００４９】
保存手段ＭＳ２は、当業者に知られている任意の形、特に、メモリ、コンピュータファイル、又はデータベースの形のものであってよい。
【００５０】
それぞれのカメラＣｉは、その技術特性及びその環境の構成に依存する観察エリア内のビデオ画像を記録するように動作可能である。
【００５１】
種々の特性は、特に、開口角、焦点距離、それが固定されている地面からの高さ、水平面に関する傾斜、及び鉛直面に関する旋回を含んでよい。
【００５２】
これより先、「情報データ」は、カメラＣｉの技術特性又はカメラＣｉの環境の構成を定義するデータを指すことに留意されたい。
【００５３】
それぞれのカメラＣｉは、特に、そのビデオ記録の少なくとも部分を送信するために、少なくとも１つの有線及び無線通信デバイスに接続することができる通信モジュールＭＣＮ’も備える。
【００５４】
図示のように、それぞれのカメラＣｉは保存手段ＭＳ３を備えてよく、その中に、その情報データを定義するデジタルデータを保存する。これらの保存手段ＭＳ３は、当業者に知られている任意の形、特に、メモリ、又はコンピュータファイルの形のものであってよい。
【００５５】
但し、リストに記載されたそれぞれのカメラＣｉに関する情報データを、当該カメラ（Ｃｉ）の位置及び識別子についての一致データとして情報サーバＳＩの保存手段ＭＳ１内に保存する方が好ましい。これは、この状況では、カメラＣｉの位置、識別子、及び情報データを１つの問い合わせだけで取得することが可能になるためである。
【００５６】
それぞれのカメラＣｉは、図示のように、作製されたそれぞれのビデオ記録を、日付及び時刻についての一致データとして定義するデジタルデータを保存する保存手段ＭＳ４を備えてもよい。これらの保存手段ＭＳ４は、当業者に知られている任意の形、特に、メモリ、コンピュータファイル、又はデータベースの形で具現してよい。
【００５７】
それぞれのカメラＣｉは、図示のように、その保存手段ＭＳ４内に場合によっては保存されるビデオ記録に通信デバイスＥＣ又はサーバがアクセスすることを許すアクセスインタフェースＩＡ、優先的にはＡＰＩ（Ａｐｐｌｉｃａｔｉｏｎ  Ｐｒｏｇｒａｍｍｉｎｇ  Ｉｎｔｅｒｆａｃｅ、アプリケーションプログラミングインタフェース）、を備えてもよい。
【００５８】
それぞれのカメラＣｉは、図示のように、通信デバイスＥＣ又はサーバが、カメラＣｉの保存手段ＭＳ３内に場合によっては保存される情報データにアクセスすること、並びに／あるいは保存手段ＭＳ４へのアクセスを制御すること、並びに／あるいは、後で見るように、要求に応じて、保存手段ＭＳ４内に保存されたビデオ記録に対する少なくとも１つの処理を遂行する任務を負うローカル処理モジュールＭＴ１へのアクセスを制御することを可能にするアクセスコントローラＣＡを備えてもよい。
【００５９】
以下に記載する例では、それぞれのカメラＣｉがそのビデオ記録をローカルに保存することに留意しておくことが重要である。従って、ビデオ記録は、カメラＣｉから、それらのアクセスインタフェースＩＡ及びそれらのアクセスコントローラＣＡを介して取得されなければならない。但し、１つの変形例では、カメラＣＩは、それらが作製するビデオ記録をサーバに送信するように動作可能であってよく、サーバが今度はビデオ記録をそれらのカメラ識別子についての一致データとして集中的に保存する任務を負う。この状況では、カメラＣｉはもはやアクセスインタフェースＩＡ及びアクセスコントローラＣＡを実際に備える必要はない。
【００６０】
集中ビデオストレージがある場合には、カメラＣｉのアクセスインタフェースＩＡは、ユーザの通信デバイスＥＣをビデオサーバへ、もし当該サーバが当該通信デバイスＥＣに知られていなければ、リダイレクトすることを可能にしてよいことに留意されたい（つまり、アクセスインタフェースは、ビデオストレージがローカルにあろうとリモートにあろうと、透過的アクセスを許してよい）。例えば、カメラＣｉの所有者によって異なるネットワークオペレータに関連付けられる異なるサーバ内における、半分散型又はハイブリッドストレージが考えられてもよく、もしそうであれば、アクセスインタフェースＩＡは透過的アクセスを可能にしてよいことにも留意されたい。
【００６１】
本発明は、図１に限定的に示されている種類の通信設備内におけるビデオ記録の取得方法の実装を提案する。
【００６２】
このような方法は、少なくとも３つの主ステップ（ｉ）−（ｉｉｉ）を備える。
【００６３】
第１の主ステップ（ｉ）は、通信デバイスＥＣが位置する地点の位置を特定することから成る。
【００６４】
この特定は当業者に知られている任意の手段によって行われてよい。それ故、それは、通信デバイスＥＣを場合によっては備える測位デバイスＥＰを利用して行われてよい。このような測位デバイスＥＰは、例えば、ＧＰＳ（Ｇｌｏｂａｌ  Ｐｏｓｉｔｉｏｎｉｎｇ  Ｓｙｓｔｅｍ、全地球測位システム）デバイスであってよい。但し、１つの変形例では、それは、例えば、ネットワークＲＣ内における三角測量によって、あるいはネットワークＲＣのマイクロ又はフェムトセル内における接続を検出することによって行われてよい。この位置特定に用いられる技法が、これらの結果を利用する、後の計算の正確さに影響を及ぼし得ることに留意されたい。
【００６５】
それぞれの第１の主ステップ（ｉ）は、周期的な間隔（すなわち、ユーザによってあらかじめ定義された間隔）で自動的に遂行されるか、可能であれば自分がいる証拠を有する、自分が位置する地点のビデオ記録をユーザが取得したい時に、通信デバイスＥＣのユーザの要求に応じて遂行されてよいことにも留意されたい。
【００６６】
本発明の方法の第２の主ステップ（ｉｉ）は、第１の主ステップ（ｉ）の間に特定された地点を含む可能性があり得る観察エリアの一部内で作製されたビデオ記録を提供することができ、ネットワークＲＣを介してアクセス可能なカメラＣｉが少なくとも１台あるかどうかを判定することから成る。
【００６７】
本発明によれば、当該第２の主ステップ（ｉｉ）を遂行する任務を負い、第１の主ステップ（ｉ）の間、その通信デバイスＥＣの位置を、それが（この例では、測位デバイスＥＰによって）自動的に伝えられない時には、要求する任務を場合によっては負うのは、（ビデオ記録の取得のための）装置Ｄであることに留意されたい。
【００６８】
この特定は、この例では情報サーバＳＩに、ネットワークＲＣを介し、移動通信デバイスＥＣの通信モジュールＭＣＮを用いて要求を送ることによって行われる。
【００６９】
その目的のために、装置Ｄは、カメラＣｉの特定を行う任務を負う探索手段ＭＲを備える。
【００７０】
例えば、探索手段ＭＲは、通信デバイスＥＣの近傍内にある可能性があり得るカメラＣｉがあるかどうかを判定するために第１の主ステップ（ｉ）の間に特定された通信デバイスＥＣの位置を、カメラ識別子についての一致データとして情報サーバＳＩの保存手段ＭＳ１内に保存されているカメラＣＩの知られている位置において比較してよい。次に、このようなカメラＣＩが存在する場合には、探索手段ＭＲは、通信デバイスＥＣの特定位置を含む観察エリアを当該カメラＣＩが供しているかどうかを判定するように動作可能である。最後に、もしそうであれば、探索手段ＭＲは、特定されたカメラＣｉの識別子を用いて、後で説明する第３の主ステップ（ｉｉｉ）を遂行するように動作可能である。
【００７１】
カメラＣｉの特定をより正確にするために、第１のステップ（ｉ）の間に通信デバイスＥＣの経路も特定することが特に有利であることに留意されたい。
【００７２】
そうするために、例えば、通信デバイスＥＣの現在の速度を表す速度データ、並びに通信デバイスＥＣが進む全体的な配向及び方向を表す配向及び方向データを利用してよい。この物理的パラメータデータ（速さ、配向、方向）は、例えば加速度計ＡＣ及びコンパスＢＯ等の、通信デバイスＥＣが備えるデバイスによって、あるいは地理位置情報のために利用される測位デバイス（例えば、ＧＰＳデバイス）によって提供されてよい。
【００７３】
測位デバイスＥＰ及び／又は加速度計（若しくは類似物）ＡＣ及び／又はコンパス（若しくは類似物）ＢＯは、場合によっては、装置Ｄの一部を構成してよいことに留意されたい。
【００７４】
探索手段ＭＲが通信デバイスＥＣの位置、速度、配向、及び方向を有すれば、それらはその経路を計算し得て、従って、それらは、当該経路がカメラＣｉの観察エリアを横切ることになるか（又は横切っているか）どうかを（第２の主ステップ（ｉｉ）の間に）判定し得ることを理解されたい。これによって、カメラＣｉの観察エリア内への通信デバイスＥＣの来訪を、当該カメラＣｉのビデオ記録の一部分を使用する権利を前もって取得するために、又は当該カメラＣｉのビデオ記録の一部分を取得可能であることを通信デバイスＥＣのユーザに通知するために、予想することが可能になる。
【００７５】
探索手段ＭＲは、第２の主ステップ（ｉｉ）の間、カメラＣｉの観察エリアを、当該カメラＣｉ及び／又はその環境に関する情報データに基づいて特定するように動作可能であってよいことにも留意されたい。先に示されたように、この情報データは、例えば、情報サーバＳＩの保存手段ＭＳ１からくだんのカメラＣｉの位置及び識別子と同時に取得されてよい。
【００７６】
探索手段ＭＲがカメラＣｉの位置及び情報データを有すれば、それらは当該カメラＣｉの観察エリアを計算する、又は少なくとも推定することができることを理解されたい。特定された観察ゾーンの正確さは、当然、カメラＣｉの情報データの数及び正確さに依存する。
【００７７】
ビデオ記録の一部の送信は、既定の一連の規則（単数または複数）を満たすことを条件としてよいことにも留意されたい。その場合には、第２の主ステップ（ｉｉ）の間、既定の規則（単数または複数）がすべて満たされた場合にのみ、ビデオ記録の一部のみの送信が許可される。
【００７８】
ビデオ記録の取得との関係を示す当業者に知られているあらゆる種類の規則が考えられてよい。このように、それは、例えば、法律によって定められた、ビデオ記録の使用に関するローカル規則、あるいは第三者が誰も認識可能でない時かつその時に限り、又はそれぞれの第三者が、自分が（場合によっては部分的にぼかされて）出てくるビデオシーケンスを使用する権限を与えた場合に、ビデオ記録を使用する権限、あるいは通信デバイスＥＣのユーザが、自分に関係するビデオ記録を使用する権限を有する場合に（例えば、当該ユーザが、権限を与えられたユーザのリスト内に保存されている識別子を有するため）、ビデオ記録を使用する許可であってよい。あるいは、それは、カメラＣｉ及び／又はその環境に関連する情報データを探索した時に以前に提供された識別子を通信デバイスＥＣによって提供することであってよい。上述の最後の規則の場合、識別子は、例えば、位置が当該通信デバイスＥＣの位置の近傍にあるカメラＣｉの少なくとも１つの識別子を特定するように意図された要求を通信デバイスＥＣが情報サーバＳＩに送信した際に、情報サーバＳＩによって通信デバイスＥＣに特別に割り当てられ、その要求に応答するメッセージに含まれて当該デバイス（ＥＣ）に送信されるトークンであってよい。
【００７９】
本発明の方法の第３の主ステップ（ｉｉｉ）は、カメラＣｉが（この例では、探索手段ＭＲによって）特定されると、通信デバイスＥＣに、その要求に応じてネットワークＲＣを介して、当該カメラＣｉによってその観察エリア内に通信デバイスＥＣがある間に作製されたビデオ記録の少なくとも１つの部分を送信することから成る。
【００８０】
ここで説明されている限定例では、装置Ｄは、特定された少なくともカメラＣｉの識別子を包含する要求、及び現在の日付及び時刻から開始するビデオ記録の一部分を取得する要求を生成する任務、並びに識別されたカメラＣｉに当該要求を送信するようにその通信デバイスＥＣに要請する任務を負う処理手段ＭＴを備える。但し、１つの変形例では、要求は、保存サーバ、特に、当該カメラＣｉのビデオ記録に送信されてよい。
【００８１】
この要求は、ネットワークＲＣを介して、移動通信デバイスＥＣの通信モジュールＭＣＮによって送られる。
【００８２】
第３の主ステップ（ｉｉｉ）の間、通信デバイスＥＣによって提供された命令に基づく、要求されたビデオ記録部分の少なくとも１つの処理であることに留意されたい。当該（又はそれぞれの）処理作業は、当該目的のために動作可能である処理モジュールＭＴ１を当該カメラＣｉが備えている限り、かつそれがそのビデオ記録も保存しているならば、特定されたカメラＣｉ内で場合によっては遂行されてよい。これは、装置Ｄを１つ又は複数の処理作業から解放することを可能にするため、有利である。更に、それぞれの要求される処理作業の定義は、ビデオ記録を取得する要求に含まれて有利に送信されてよい。
【００８３】
比較的高速で単純である当業者に知られているあらゆる種類のビデオ画像処理が要求されてよい。それ故、それは、例えば、ビデオ記録の画像内で検出された人物（又は第三者）の顔をぼかすこと、当該ビデオが既定の閾値よりも長く続く場合には、ビデオ記録の一部分の少なくとも１つのシーケンス（例えば、概要等）を手動で及び／又は自動的に選ぶこと、ビデオ記録の一部分を消去すること、あるいはビデオ記録の一部分を少なくとも１人の第三者と共有することであってよい。
【００８４】
本発明の方法は２つの他のステップ（ｉｖ）及び（ｖ）を有利に備えてよい。
【００８５】
より詳細には、第４のステップ（ｉｖ）は、送信によって取得されたビデオ記録の一部分に基づいて通信デバイスＥＣ内で１片のビデオコンテンツを生成することから成り、第５のステップ（ｖ）は、第４の主ステップ（ｉｖ）の間に生成された１片のビデオコンテンツを、それを利用可能にすることを考慮して、場合によっては選択された条件の下で、（この例では、ブログサーバＳＢ内に保存されている）ユーザの個人ウェブサイトに提供することから成る。
【００８６】
ここで、用語「ビデオコンテンツ」は、ビデオ画像のシーケンスを定義し、それらをブログに追加すること、及びそれらをビデオプレーヤによって使用可能にすることを可能にする形式で配置されるデジタルデータのセットを指す。従って、１片のビデオコンテンツは、ビデオ記録部分によって、場合によっては後処理すること、又はダウンロードされたビデオ記録部分を処理した結果できるデジタルデータによって構成されてよい。
【００８７】
１片のビデオコンテンツを利用可能にするための条件がある場合には、その条件はユーザによって選択される。例えば、それらは、ユーザがあらかじめ定義して有効になっている、自分のブログにアクセスするためのポリシー、又はビデオがユーザによって第三者サービス上で公開される場合には、ソーシャルネットワーキングサイト（フェイスブック等）によって定義されているアクセスポリシー群の一部を構成する。
【００８８】
この第４のステップ（ｉｖ）は装置Ｄによって遂行される。より詳細には、それが備える生成手段ＭＧであって、要求に応じて通信デバイスＥＣに送信されたビデオ記録部分に基づいて１片のビデオコンテンツを生成するように動作可能である、生成手段ＭＧによって遂行される。
【００８９】
当該第４のステップ（ｉｖ）の間に、通信デバイスＥＣ内で少なくとも１つ処理作業が遂行されてよいことに留意されたい。その場合には、生成手段ＭＧが、好ましくはこの処理の任務を負う手段となる。
【００９０】
先に示されたように、比較的高速で単純である、当業者に知られているあらゆる種類のビデオ画像処理が生成手段ＭＧによって遂行されてよい。この処理は、カメラＣｉ内で処理手段ＭＴ１によって遂行されるものがある場合には、それらを場合によっては補完してよい。従って、それは、例えば、ダウンロードされたビデオ記録部分の画像内で検出された人物（又は第三者）の顔をぼかすこと、当該ビデオが既定の閾値よりも長く続く場合には、ビデオ記録の一部分の少なくとも１つのシーケンス（例えば、概要等）を手動で及び／又は自動的に選ぶこと、ビデオ記録の一部分を消去すること、あるいはビデオ記録の一部分を少なくとも１人の第三者と共有することであってよい。
【００９１】
優先的には、図示のように、装置Ｄは、それが、生成されたビデオコンテンツ、及び場合によってはダウンロードされたビデオ記録部分を保存する保存手段ＭＳ５を備える。これは、特に、追加の処理を遂行すること、又はより単純には、ユーザがそう望む場合には、ユーザがビデオコンテンツを見ることを可能にする。こうして、ユーザは、例えば、何片ものビデオコンテンツを有する長いビデオシーケンスを編集し、場合によっては、それを自分のブログで公開してよい。
【００９２】
保存手段ＭＳ５は、当業者に知られている任意の形、特に、メモリ、コンピュータファイル、又はデータベースの形で具現してよい。
【００９３】
第５のステップ（ｖ）は、装置Ｄによって、及びより詳細には、それが備える制御手段ＭＣであって、生成手段ＭＧによって生成されている１片のビデオコンテンツを個人ウェブサイトに提供するように通信デバイスＥＣに指示するように動作可能である、制御手段ＭＣによって、遂行される。
【００９４】
ステップ（ｉ）から（ｖ）のうちの少なくとも１つは、通信デバイスＥＣのユーザによってあらかじめ定義された命令セットに基づいて遂行されてよいことに留意されたい。
【００９５】
場合によっては状況的な方法で、機能又は動作を自動化することを可能にする、当業者に知られているあらゆる種類の命令が用いられてよい。このように、それは、（方法を開始する）判定周期、又は場合によっては少なくとも１つの既定の処理の後における、ビデオ記録部分のシステマチックな保存、場合によっては少なくとも１つの既定の処理の後における、既定の状況に基づくビデオ記録部分の保存、並びに場合によっては既定の状況に基づく、１片のビデオコンテンツの自動生成及び提供、を定義するデータであってよい。状況的な例として、来たことのない新たな地点に通信デバイスＥＣが位置するたびに、ビデオ記録部分の保存を要求する命令があり得ようと考えられる。それぞれのビデオ記録部分の長さを約１０秒に短縮するように要求する命令であって、それは、場合によっては、来たことのない新たな地点に通信デバイスＥＣが位置する場合を除いて要求され、通信デバイスＥＣが新たな地点に位置する場合には、継続時間は３０秒に設定されるという命令があり得ようと考えられる。来たことのない新たな地点、又は既定の場所に通信デバイスＥＣが位置する時に、方法だけが開始されるように要求する命令があり得ようとも考えられる。ビデオ記録部分をいつもダウンロードする前、又はダウンロードされたビデオ記録部分をいつもローカルに保存する前にユーザの権限が必ず取得されるように要求する命令があり得ようとも考えられる。
【００９６】
優先的には、図示のように、装置Ｄは、それが、ユーザによってあらかじめ定義されたそれぞれの命令セットを保存する保存手段ＭＳ６を備える。セットの命令は装置Ｄの複数の手段（又はモジュール）に関連し得るため、従って、保存手段ＭＳ６はその手段（又はモジュール）のそれぞれにアクセス可能であってよい。
【００９７】
これらの保存手段ＭＳ６は、当業者に知られている任意の形で、及び特に、メモリ、コンピュータファイル、又は（特に規則のためには）データベースの形で具現してよい。
【００９８】
通信デバイスＥＣのユーザは、自分に関係するビデオ記録があるたびに通知を受けてよいことにも留意されたい。これは、例えば、本方法が、場合によっては或る条件の下で、継続するように、又は本方法が停止されるように要求する命令を通信デバイスＥＣが与えていることをユーザに通知する役目、あるいはより単純には、ユーザがあらかじめ定義して有効になっている命令セットに従って、場合によっては自分のブログ又は選択されたソーシャルネットワーキングサイトに追加される、新しいビデオコンテンツへのアクセスをユーザがまもなく有することになることをユーザに告げる役目を果たしてよい。
【００９９】
通知は、例えば、制御手段ＭＣによって生成されてよい。これらの手段（ＭＣ）は、有効になっている既定のセットのそれぞれの命令の適用を制御する任務を負うルールエンジンを場合によっては備えてよいことに留意されたい。
【０１００】
ユーザと装置Ｄとの間で（両方向で）行われたやりとりはすべて、優先的には通信デバイスＥＣの一部である人間／機械インタフェースＩＮを介して実行されることにも留意されたい。但し、この人間／機械インタフェースＩＮは装置Ｄの一部を構成してもよい。
【０１０１】
装置Ｄは、優先的には、電子回路とソフトウェア（又はコンピュータ）モジュールの組み合わせの形で実行されることにも留意されたい。但し、それはソフトウェアモジュールの形で構築されてもよい。
【０１０２】
本発明は、以下のものを含むいくつかの利点を提供する：
−  本発明は、カメラがリストに記録されていて、かつそのビデオ記録がアクセス可能である限り、あらゆる種類のカメラ（有線又は無線）の存在をユーザが自動的に知らせられることを可能にし得る。
【０１０３】
−  本発明は、１片のビデオコンテンツが取得され、保存されたことをユーザが自動的に知らせられることを可能にし得る。
【０１０４】
−  本発明は追加の外部機器を１つも必要としない。
【０１０５】
−  本発明は、ビデオコンテンツを有するブログ、及びより一般的に言えば、（単にビデオだけでなく）ハイブリッドコンテンツを包含するソーシャルネットワークを、場合によってはプログラミングによって全自動化された方法で、改良することを可能にする。
【０１０６】
本発明は、単に実施例として与えられているにすぎない、上述されたビデオ記録取得装置、ユーザ通信デバイス、及びビデオ記録取得方法の実施形態には限定されない。逆に、本発明は、当業者であれば添付の請求項の枠組の範囲において想到し得る変形例をすべて包含する。
【図１】
0005731677.tif 000002